【手続補正書】
【提出日】平成18年3月31日(2006.3.31)
【手続補正１】
【補正対象書類名】明細書
【補正対象項目名】特許請求の範囲
【補正方法】変更
【補正の内容】
【特許請求の範囲】
【請求項１】
ネットワーク管理方法であって、
ＳＡＮにおける各コンポーネントからのコンフィギュレーションデータの要求に応じてコンフィギュレーションデータを受信すること、
リポジトリに記憶されているデータと受信したデータを比較すること、
もし受信したデータが、記憶されているデータと異なっている場合は、リポジトリを受信したデータで更新すること、
スイッチと、該スイッチに結合しているコンポーネントとの間の距離を示すデータである、リポジトリに記憶されているデータを出力すること、および、
出力されたデータを、前記ＳＡＮのコンフィギュレーションを再設計するために使用すること、で構成されることを特徴とするネットワーク管理方法。
【請求項２】
請求項１に記載のネットワーク管理方法であって、前記受信したデータは、スイッチと、該スイッチに結合しているコンポーネントとの間の距離を含んでいることを特徴とするネットワーク管理方法。
【請求項３】
請求項２に記載の方法であって、前記スイッチと、前記スイッチに結合しているコンポーネントとの間の距離は、ＧＰＳのデータを通して決められることを特徴とするネットワーク管理方法。
【請求項４】
請求項２に記載の方法であって、前記スイッチと、前記スイッチに結合しているコンポーネントとの間の距離は、手作業で設定された距離に係わるスイッチの属性を通して決められることを特徴とするネットワーク管理方法。
【請求項５】
請求項１に記載の方法であって、前記受信したデータは、前記スイッチと、前記スイッチに結合しているコンポーネントとの間のレスポンス時間を含んでいることを特徴とするネットワーク管理方法。
【請求項６】
請求項５に記載ネットワーク管理方法であって、前記レスポンス時間は、定期的にスイッチからコンポーネントにフレームを送り、レスポンス時間を測定することによって算出されることを特徴とするネットワーク管理方法。
【請求項７】
請求項１に記載の方法であって、前記出力することは、データをグラフィックフォーマットで出力することを特徴とするネットワーク管理方法。
【請求項８】
ネットワーク管理方法であって、
ＳＡＮにおける各コンポーネントからのコンフィギュレーションデータの要求に応じてコンフィギュレーションデータを受信すること、
リポジトリに記憶されているデータと受信したデータを比較すること、
もし受信したデータが、記憶されているデータと異なっている場合は、リポジトリを受信したデータで更新すること、
スイッチと、該スイッチに結合しているコンポーネントとの間の距離を示すデータである、リポジトリに記憶されているデータを出力すること、
予め規定した長さより長い距離に展開されるコンポーネントを含むゾーンをチェックすること、および、
もし、ゾーンが、予め規定した長さより長い距離に展開されるコンポーネントを含んでいる場合は、警告を出力すること、で構成されることを特徴とするネットワーク管理方法。
【請求項９】
コンピュータに一つの方法を実行させるためにインストラクションを記憶するコンピュータで読み出し可能な媒体であって、
該方法は、
ＳＡＮにおける各コンポーネントからのコンフィギュレーションデータの要求に応じて、コンフィギュレーションデータを受信すること、
リポジトリに記憶されているデータと受信したデータを比較すること、
もし受信したデータが、記憶されているデータと異なっている場合は、受信したデータによりリポジトリを更新すること、
スイッチと、前記スイッチに結合したコンポーネントとの間の距離を示すデータである、リポジトリに記憶されたデータを出力すること、および
出力されたデータを、前記ＳＡＮのコンフィギュレーションを再設計するために使用すること、で構成されることを特徴とするコンピュータで読み出し可能な媒体。
【請求項１０】
請求項９に記載のコンピュータで読み出し可能な媒体であって、該受信したデータは、スイッチと、該スイッチに結合しているコンポーネントとの間の距離を含んでいることを特徴とするコンピュータで読み出し可能な媒体。
【請求項１１】
請求項１０に記載のコンピュータで読み出し可能な媒体であって、前記スイッチと、前記スイッチに結合しているコンポーネントとの間の距離は、ＧＰＳのデータを通して決められることを特徴とするコンピュータで読み出し可能な媒体。
【請求項１２】
請求項１０に記載のコンピュータで読み出し可能な媒体であって、前記スイッチと、前記スイッチに結合しているコンポーネントとの間の距離は、手作業で設定された距離に係わるスイッチの属性を通して決められることを特徴とするコンピュータで読み出し可能な媒体。
【請求項１３】
請求項９に記載のコンピュータで読み出し可能な媒体であって、該受信したデータは、スイッチと、該スイッチに結合しているコンポーネントとの間のレスポンス時間を含んでいることを特徴とするコンピュータで読み出し可能な媒体。
【請求項１４】
請求項１３に記載のコンピュータで読み出し可能な媒体であって、該レスポンス時間は、定期的にスイッチからコンポーネントにフレームを送り、レスポンス時間を測定することによって算出されることを特徴とするコンピュータで読み出し可能な媒体。
【請求項１５】
請求項９に記載のコンピュータで読み出し可能な媒体であって、該出力することは、データをグラフィックフォーマットで出力することを特徴とするコンピュータで読み出し可能な媒体。
【請求項１６】
コンピュータに一つの方法を実行させるためにインストラクションを記憶するコンピュータで読み出し可能な媒体であって、
該方法は、
ＳＡＮにおける各コンポーネントからのコンフィギュレーションデータの要求に応じて、コンフィギュレーションデータを受信すること、
リポジトリに記憶されているデータと受信したデータを比較すること、
もし受信したデータが、記憶されているデータと異なっている場合は、受信したデータによりリポジトリを更新すること、
スイッチと、前記スイッチに結合したコンポーネントとの間の距離を示すデータである、リポジトリに記憶されたデータを出力すること、
予め規定した長さより長い距離に展開されているコンポーネントを包含するゾーンをチェックすること、および、
もし、ゾーンが予め規定した長さより長い距離に展開されているコンポーネントを包含している場合は、警告を出力すること、で構成されることを特徴とするコンピュータで読み出し可能な媒体。
【請求項１７】
ＳＡＮシステムであって、
ＳＡＮのコンフィギュレーションデータを記憶することが可能なトポロジーリポジトリと、
前記ＳＡＮにおける各コンポーネントからのコンフィギュレーションデータの要求に応じて、コンフィギュレーションデータを受信することが可能で、リポジトリに記憶されたデータと受信したデータを比較することが可能で、もし受信したデータが記憶されているデータと異なっている場合は、リポジトリを受信したデータにより更新することが可能で、スイッチと、該スイッチに結合しているコンポーネントとの間の距離を示すデータである、リポジトリに記憶されているデータを出力することが可能で、出力されたデータを、前記ＳＡＮのコンフィギュレーションを再設計するために使用することが可能な、リポジトリに結合した、ＳＡＮマネージャと、で構成されることを特徴とするＳＡＮシステム。
【請求項１８】
請求項１７に記載のシステムであって、該受信したデータは、スイッチと、該スイッチに結合しているコンポーネントとの間の距離を含んでいることを特徴とするＳＡＮシステム。
【請求項１９】
請求項１７に記載のシステムであって、該受信したデータは、スイッチと、該スイッチに結合しているコンポーネントとの間のレスポンス時間を含んでいることを特徴とするＳＡＮシステム。
【請求項２０】
ＳＡＮシステムであって、
ＳＡＮにおける各コンポーネントからのコンフィギュレーションデータの要求に応じてコンフィギュレーションデータを受信する手段と、
リポジトリに記憶されているデータと受信したデータを比較する手段と、
もし受信したデータが、記憶されているデータと異なっている場合は、受信したデータでリポジトリを更新する手段と、
スイッチと、該スイッチに結合されたコンポーネントとの間の距離を示すデータである、リポジトリに記憶されているデータを出力する手段と、
出力されたデータを、前記ＳＡＮのコンフィギュレーションを再設計するために使用する手段と、で構成されることを特徴とするＳＡＮシステム。